(57)【要約】【課題】カード詰まりが生じた後の処理を確実に行う給油所システムを提供する。【解決手段】制御手段は、板状記憶媒体がリードライタの挿入口から挿入されると、給油前において、かつ、板状記憶媒体に残高の記録をする前に、板状記憶媒体に使用の開始データを記録させる。一方、板状記憶媒体がリードライタの挿入口から返却される前において、給油後、かつ、残高を記録した後に、板状記憶媒体に使用の終了データを記録させる。読み取られた開始データおよび／または終了データに基づいて、前回の使用時に、開始データおよび／または終了データが記録されたか否かを判別する判別手段を備えたことを特徴とする。【選択図】        図９
2004203418.tif 000002
【特許請求の範囲】
【請求項１】
複数の給油用の給油ノズルを有する給油装置を複数台備えた給油所システムであって、
給油量または給油金額を含む給油予定情報を入力するための給油予定情報入力手段と、
板状記憶媒体の残高の読み取りおよび書き換えを行うリードライタと、
前記板状記憶媒体が前記リードライタの挿入口から挿入されると、給油前において、かつ、前記板状記憶媒体に残高の記録をする前に、前記板状記憶媒体に使用の開始データを記録させ、前記板状記憶媒体が前記リードライタの挿入口から返却される前において、前記給油後、かつ、前記残高を記録した後に、前記板状記憶媒体に使用の終了データを記録させる制御手段と、
読み取られた開始データおよび／または終了データに基づいて、前回の使用時に、開始データおよび／または終了データが記録されたか否かを判別する判別手段と、
を備えた給油所システム。
【請求項２】
請求項１において、
前記制御手段は、前記板状記憶媒体を使用して給油を行う通常モードと、リードライタ内で詰まった前記板状記憶媒体についての処理を行う異常モードとを備え、
前記通常モードにおいては、給油の前に前記開始データを記録し、かつ、給油の後に前記終了データを記録し、前記判別の結果、前回の使用時に開始データが記録され終了データが記録されていない場合には、挿入された板状記憶媒体を前記リードライタの挿入口から返却させるように制御する給油所システム。
【請求項３】
請求項１もしくは２において、
前記制御手段は、前記板状記憶媒体を使用して給油を行う通常モードと、リードライタ内で詰まった前記板状記憶媒体についての処理を行う異常モードとを備え、
前記異常モードにおいて、前記板状記憶媒体の記録内容を読み取ると、当該記録内容に応じた状態の表示、あるいは、異常処理の操作手順の表示を行う表示手段を備えた給油所システム。
【請求項４】
請求項２もしくは３において、
給油内容を記憶する記憶部を更に備え、
前記異常モードにおいて、前記板状記憶媒体の記録内容を読み取ると、当該板状記憶媒体に応じた前記記憶部の記憶内容を読み出して、前記リードライタに所定の記録を行わせると共に、終了データを記録させる給油所システム。
【発明の詳細な説明】
【０００１】
【発明の属する技術分野】
本発明は、主としてセルフサービス方式の給油所システムに関するものである。
【０００２】
【従来の技術およびその欠点】
一般に、磁気カードの読み書きを行うリードライタは、図５および図６に示すように、カードを複数回往復搬送することにより読み書きを行う。セルフサービス方式の給油所システムでは、給油装置に前記リードライタを設け、プリペイドカードやリライトカードを使えるようにしたものが多い。
【０００３】
給油装置は屋外に設置されるので、砂ぼこりや異物がリードライタ内に侵入し、これがカード詰まりを生じさせる要因となる。また、給油には数分の時間を要するので、カードの搬送が数分間停止するため、リードライタ内にカードが詰まり易くなる。
【０００４】
前記カード詰まりが生じた場合には、リードライタを開いてカードを取り出す。しかし、カードに残高を書き込む前に、カード詰まりが生じた場合には、カードに記録された残高と、実際の残高との間に食い違いが生じる。かかる食い違いは、給油所の信用問題に発展しかねない重要な問題である。
【０００５】
したがって、本発明の目的は、カード詰まりが生じた後の処理を確実に行うことである。
【０００６】
【課題を解決するための手段および効果】
前記目的を達成するために、本発明は、送油用のポンプと、給油量を計量する流量計と、給油用の給油ノズルとを有する給油装置を複数台備えた給油所システムであって、給油量または給油金額を含む給油予定情報を入力するための給油予定情報入力手段と、板状記憶媒体の残高の読み取りおよび書き換えを行うリードライタと、前記板状記憶媒体が前記リードライタの挿入口から挿入されると、給油前において、かつ、前記板状記憶媒体に残高の記録をする前に、前記板状記憶媒体に使用の開始データを記録させ、前記板状記憶媒体が前記リードライタの挿入口から返却される前において、給油後、かつ、前記残高を記録した後に、前記板状記憶媒体に使用の終了データを記録させる制御手段と、読み取られた開始データおよび／または終了データに基づいて、前回の使用時に、開始データおよび／または終了データが記録されたか否かを判別する判別手段と、を備えたことを特徴とする。
【０００７】
給油を行う際には、まず、板状記憶媒体（以下、単に「カード」という）をリードライタのカード挿入口から挿入する。挿入されたカードは、リードライタにより記録内容が読み取られた後、開始データが書き込まれる。その後、前記入力手段などから所定の操作を行うことで給油予定情報に従って給油が行われる。給油が行われると、当該給油に応じた給油データが記憶部に記憶され、給油後に当該給油に応じた残高などのデータがカードに記録されると共に、終了データがカードに記録される。
【０００８】
今、前記開始データがカードに記録された後、前記終了データがカードに記録されるまでの間において、カードがリードライタに詰まると、カード詰まりの表示がなされ、給油所のサービスマンがリードライタを開いてカードを取り出す。サービスマンが取り出したカードを再びリードライタに挿入し、終了データが書き込まれていないと、カードが挿入口から返却され、給油した内容に応じた残高と給油内容とに食い違いがあることを知ることができる。その後、サービスマンは異常モードに設定し、前記記憶部に記憶した内容に基づいて、カードの記録内容が書き換えられる。
【０００９】
【発明の実施形態】
以下、本発明の一実施形態を図面にしたがって説明する。
全体構成：
図１（ａ）に示すように、セルフサービス方式の給油所システムは、たとえば１台の管理装置２０と、複数台の給油装置１０ｉを備えている。給油装置１０ｉは、図示しないインターフェイスを介して管理装置２０に接続されている。
後述するように、顧客は給油装置１０ｉにプリペイドカードや貨幣を投入した後に給油を行い、該給油後に給油装置１０ｉから返却されたプリペイドカードや釣銭などを受け取る。
前記管理装置２０は、前記給油装置１０ｉの管理を行うものであり、たとえばパソコンで構成されている。
【００１０】
給油装置：
図２に示す前記給油装置１０ｉは、たとえば、マイコン（マイクロコンピュータ）１１からなる制御手段を備えている。前記マイコン１１には、給油表示器１２、貨幣識別手段１３、カードリードライタ１４、伝票発行手段１５、釣銭発行機１６、給油機制御手段１８および設定部１９が、図示しないインターフェイスを介して接続されている。
【００１１】
前記マイコン１１は、該マイコン１１に接続された前記各機器の制御や種々の演算を行うものであり、ＣＰＵ（判別手段）１１ａ、記憶部１１ｂおよび計時を行うタイマ１１ｃを備えている。
【００１２】
図３は、前記給油装置１０ｉの正面図である。図３に示すように、前記設定部１９には、たとえば、液晶表示装置からなる表示手段１７と、たとえば、テンキーなどからなる入力手段１９ｋが設けられている。前記表示手段１７は、後述するように、各種状態表示や操作手順などの表示を行う。設定スイッチ１９ｋは、油種と、給油量または給油金額を含む給油予定情報を入力するためのスイッチであり、給油予定情報入力手段を構成している。
【００１３】
図２の前記給油機制御手段１８には、たとえば、「レギュラー」、「ハイオク」および「軽油」の油種別に給油機１８ｂおよび給油ノズル１８ａからなる給油装置が接続されている。給油機１８ｂは、それぞれ、送油用のポンプおよび給油量を計量する流量計を備えており、給油用の給油ノズル１８ａに接続されている。
前記給油機制御手段１８は給油機１８ｂの制御を行うものであり、前記給油予定情報に従って所定の油種の給油ノズル１８ａからの給油を可能にすると共に、給油量のカウントを行う。
前記給油表示器１２は、たとえば、液晶表示装置からなり、前記給油ノズル１８ａから給油された給油量の表示を行う。
【００１４】
ＣＰＵ１１ａは、現金で給油を行う現金モードの他に、カード３を使用して給油を行う通常モードと、リードライタ１４内で詰まったカード３について、後述する後処理を行う異常モードとを備えている。
【００１５】
前記カードリードライタ１４は、前記通常モードにおいて、図４に示すプリペイドカード（板状記憶媒体）３の読み取り、書き換えおよび印字を行うものである。図５に示すように、リードライタ１４は、カードの搬送経路の上下にそれぞれ印字ヘッド１４ｂと磁気ヘッド１４ｃとを備えている。前記カード３は、図４（ａ），（ｂ）に示す磁気記録面３０と、図４（ｃ）に示す裏面の印字領域を有しており、磁気記録面３０を下にして、図５のリードライタ１４に挿入される。リードライタ１４は、図示しないローラやベルトからなる搬送装置を備えており、カード３がカード挿入口１４ａ（図３）から差し込まれると、リードライタ１４はカード３を図５における左右方向に反復して搬送しながら、前記両ヘッド１４ｂ，１４ｃの上下にカード３を通過させ、当該カード３への読み出しや書き換え、印字を行う。
【００１６】
図４（ａ），（ｂ）に示すように、カード３の一面には磁気記録面３０が設けられている。磁気記録面３０には、給油情報エリア３０Ａおよびフラグエリア３０Ｂが設けられている。給油情報エリア３０Ａには、カードNo. と共に、残高（預かり金額）、利用年月日、時刻、給油量および油種などからなる給油データが記録される。利用年月日は、給油を行った年月日であり、後述する給油時に、前記タイマ１１ｃからの計時情報に基づいて算出される。前記残高は、予め入金された予納額から購入金額が減算された値である。
前記カード３を用いて給油を行う度に、給油情報エリア３０Ａに記録された前回の前記給油データが消去されると共に、新たな情報に書き換えられる（上書きされる。
【００１７】
一方、フラグエリア３０Ｂは、カード３の挿入方向Ｘ１の先頭に設けられており、所定のタイミングで終了データ「１」または開始データ「０」のうち、いずれか一方に書き換えられる。
カード３がカード挿入口１４ａから挿入されると、給油前において、かつ、カード３に残高の記録をする前に、フラグエリア３０Ｂのデータが、図４（ｂ）に示す開始データに書き換えられる。
一方、カード３がカード挿入口１４ａから返却される前において、給油後、かつ、残高を記録した後には、フラグエリア３０Ｂのデータが、図４（ａ）に示す終了データに書き換えられる。
したがって、カード詰まりが生じず、給油が正常に終了した場合には、カード挿入口１４ａから返却されたカード３には、フラグエリア３０Ｂに終了データが記録されている。
【００１８】
図４（ｃ）に示すように、カード３の他面には印字領域が設けられている。印字領域には、利用月日、投入金額、残高およびメッセージなどが順次印字される。印字領域には、最大ｎ回の給油に伴うｎ回の印字が可能になっている。
【００１９】
なお、図５（ｈ）に示すリードライタ１４の上蓋１４ｄは、開閉可能になっており、リードライタ１４内にカード３が詰まった場合には、上蓋１４ｄを開けてカード３を取り出すことが可能である。
【００２０】
図２の前記マイコン１１は、前記給油が行われる毎に、前記給油データにカードNo. および伝票No. （識別情報）を付し、前記管理装置２０（図１）に送信する。
伝票発行手段１５は、伝票排出口１５ａから納品書や領収書などの発行を行う。
【００２１】
貨幣識別手段１３は、紙幣挿入口１３ａ（図３）から投入された紙幣を識別するものであり、紙幣の種類や枚数（個数）の判別を行う。
釣銭発行機１６は、主として現金モードにおいて、釣銭の払い戻しを行うものであり、釣銭支払口１６ａ（図３）を備えている。
【００２２】
給油方法：
まず、通常モードについて、図７に示すフローチャートを用いると共に、適宜、図５および図６の動作図を参照しながら説明する。
【００２３】
通常モード：
ステップＳ１で、顧客がカード３をカード挿入口１４ａに挿入する（図５（ａ））と、図５（ｂ）に示すように、カード３が前方（奥方向）Ｘ１に向って搬送され、ステップＳ２に進む。
ステップＳ２では、前記搬送中に図５（ｃ）の磁気ヘッド１４ｃが当該カード３の磁気記録面３０に記録された情報を読み取り、ステップＳ３Ａに進む。
【００２４】
ステップＳ３Ａでは、挿入された当該カード３が本装置で使用できるカードであるか否かの判別を行う。すなわち、前記ステップＳ２において、当該カード３から記録情報が読み取れない場合や、読み取った記録情報が本装置に使用する情報とは異なる場合には、ステップＳ１５に進み、当該カード３をカード挿入口１４ａから返却する（図６（ｏ））。その他の場合には、ＣＰＵ１１ａが、前記給油情報エリア３０Ａから読み出した前記給油データを記憶部１１ｂに記憶させた後、ステップＳ３Ｂに進む。
【００２５】
ステップＳ３Ｂでは、図４（ａ），（ｂ）のフラグエリア３０Ｂに記録されたデータが終了データ「１」であるか否かの判別を行う。図４（ａ）に示すように、フラグエリア３０Ｂに終了データが記録されている場合には、ステップＳ４に進む。一方、図４（ｂ）に示すように、開始データ「０」が記録されている場合には、ステップＳ１５に進み、当該カード３をカード挿入口１４ａから返却する。
【００２６】
ここで、開始データは、前述のように、給油前において、かつ、カード３に残高の記録をする前に書き込まれる。一方、終了データは、給油後、かつ、残高を記録した後に書き込まれる。したがって、当該カード３に終了データが記録されていない場合（すなわち、開始データのみが書き込まれている場合）には、カード３に記録された給油データと実際の給油内容との食い違いが生じている疑いがあると判別される。したがって、カード３をカード挿入口１４ａから返却する際には、前記表示手段１７に「カードの記録内容が異常です。異常モードに設定した後、カードを差し込んで訂正処理を行って下さい。」などの警告表示を行うのが好ましい。
【００２７】
開始データ書込；
ステップＳ４では、図５（ｄ）に示すように、前方Ｘ１に向って搬送されたカード３が逆方向に反転され、図５（ｅ）に示すように、後方（カード挿入口１４ａ方向）Ｘ２に向って搬送される。該搬送中に、磁気ヘッド１４ｃが当該カード３のフラグエリア３０Ｂ（図３（ｂ））のデータを開始データ「０」を書き換え、ステップＳ５に進む。
ステップＳ５では、図５（ｆ）に示すように、後方Ｘ２に搬送されたカード３が前方Ｘ１に反転して搬送される。前記搬送中において、図５（ｇ）に示すように、磁気ヘッド１４ｃが磁気記録面３０に記録した情報を読み取った後、図５（ｈ）の停止位置Ｐ１でカード３を停止させる。ＣＰＵ１１ａは、当該読み出した情報とステップＳ４で書き込んだ情報との照合を行い（データチェックを行い）、ステップＳ６に進む。なお、前記データチェックにおいて、前記両情報が互いに異なる場合には、書き込みエラーが発生したと判断し、前回のステップに戻り、再度書き込みを行う。
【００２８】
ステップＳ６では、ＣＰＵ１１ａがカード３から読み出した残高を前記表示手段１７に表示させてステップＳ７に進む。
ステップＳ７では、顧客が設定スイッチ１９ｋを用いて所定の操作を行い、前記給油予定情報を設定入力すると、ＣＰＵ１１ａが当該給油予定情報を記憶部１１ｂに記憶させてステップＳ８に進む。
【００２９】
ステップＳ８では、顧客が給油ノズル１８ａを取ると、図示しないポンプを起動させるノズルスイッチがONとなり、給油が可能になるのでノズルを車の給油口に差し込み、ステップＳ９に進む。
ステップＳ９では、給油機制御手段１８が前記給油予定情報に従い、当該油種の給油ノズル１８ａから所定量の燃料を吐出させると共に、当該給油量をカウントしてステップＳ１０に進む。一方、前記給油表示器１２には、当該供給中の油量が随時更新表示される。
ステップＳ１０で給油が終わり、ノズル１８ａを元に戻すと前記ノズルスイッチがOFF になり、前記ポンプが停止されてステップＳ１１に進む。一方、ＣＰＵ１１ａは、当該給油量から購入金額を算出すると共に、前記残高（予納額）から当該購入金額を減算して新たな残高を算出する。一方、ＣＰＵ１１ａは、前記タイマ１１ｃからの計時情報に基づいて利用年月日および時刻を算出する。ＣＰＵ１１ａは、今回の給油量、購入金額および新たな残高に、前記利用年月日および時刻を関連付けて、新たな給油データとして記憶部１１ｂに記憶させる。
【００３０】
終了データ書込；
ステップＳ１１では、給油の完了まで、前記停止位置Ｐ１（図５（ｈ））で停止されていたカード３が、図６（ｉ）に示すように、後方Ｘ２に向って搬送され、磁気ヘッド１４ｃによってフラグエリア３０Ｂの記録内容が前記新たな給油データによって書き換えられる共に、前記フラグエリア３０Ｂに終了データ「１」が上書きされ、ステップＳ１２に進む。
なお、図４（ａ）に示すように、フラグエリア３０Ｂは、カード３の挿入方向Ｘ１の先頭に設けられている。カード３は前述のように、後方Ｘ２に搬送されながら記録されるので、終了データは新たな給油データの書き込みの後に書き込まれる。
【００３１】
ステップＳ１２では、図６（ｊ）に示すように、カード３が前方Ｘ１に反転されて搬送され、該搬送中に、図６（ｋ）のように、磁気ヘッド１４ｃが磁気記録面３０に記録された情報を読み取り、ＣＰＵ１１ａがデータチェックを行いステップＳ１３に進む。
ステップＳ１３では、図６（ｌ）に示すように、カード３が後方Ｘ２に反転され、図６（ｍ）のように、印字ヘッド１４ｂが該カード３の裏面に今回の給油データ（図４（ｃ））を印字し、ステップＳ１４に進む。
ステップＳ１４では、図６（ｎ），（Ｏ）に示すように、カード３が更に後方Ｘ２に向って搬送され、カード挿入口１４ａから返却される。
【００３２】
異常モード；
つぎに、カード詰まりが生じた場合について説明する。
カード詰まりが生じると、前記表示手段１７に「カード詰まりが生じました。サービスマンを呼んで下さい。」などの警告表示がなされる。顧客に呼ばれた給油所のサービスマンは、リードライタ１４の上蓋１４ｄ（図５（ｈ））を開いて、詰まったカード３を取り出す。サービスマンは、上蓋１４ｄを閉じた後、所定の操作を行いＣＰＵ１１ａを異常モードに設定すると、ＣＰＵ１１ａが表示手段１７に「今回の給油に関する印字がされていない場合には、印字ボタンを押してください。」等の表示を行わせる。サービスマンは、取り出したカード３の印字領域を確認し、今回の給油に関する印字内容が印字されていない場合には、所定の印字ボタンを押した後、リードライタ１４内で詰まった当該カードをカード挿入口１４ａに再度挿入する。
【００３３】
以下、異常モードについて、図８のフローチャートを用いて説明する。
ステップＳ２０でサービスマンがカード３をカード挿入口１４ａに挿入する（図５（ａ））と、図５（ｂ）に示すように、カード３が前方（奥方向）Ｘ１に向って搬送され、ステップＳ２１に進む。
ステップＳ２１では、前記搬送中に図５（ｃ）の磁気ヘッド１４ｃが当該カード３の磁気記録面３０に記録された記録情報を読み取り、ステップＳ２２に進む。
【００３４】
ステップＳ２２では、挿入された当該カード３が本装置で使用できるカードであるか否かの判別を行う。本装置で使用できないカード３である場合には、ステップＳ２６に進み、当該カード３をカード挿入口１４ａから返却する（図６（ｏ））。その他の場合にはステップＳ２３に進む。
【００３５】
ステップＳ２３では、ＣＰＵ１１ａが、カード３から読み出されたカードNo. と、給油装置１０ｉの記憶部１１ｂに記憶されている前回給油を行った給油データのカードNo. との照合を行う。両カードNo. が一致する場合には、ステップＳ２４に進む。カードNo. が互いに異なる場合には、ステップＳ２６に進み、カード３を返却する。
【００３６】
ステップＳ２４では、図９に示すように、前記記録情報に基づき４通りの処理が行われる。
工程No. １（前回のカードデータ＋終了データ）；
図５（ａ）〜（ｄ）の工程おいてカード３が詰まった場合には、給油情報エリア３０Ａには前回の給油データが記録されていると共に、フラグエリア３０Ｂには終了データが記録されている。したがって、かかる場合には、ＣＰＵ１１ａは、給油が行われる前にカード詰まりが生じたと判別し、データの書き換えおよび印字を行わずに、カード３をカード挿入口１４ａから顧客に返却する。一方、ＣＰＵ１１ａは表示手段１７に、「給油を最初からやり直して下さい。」等の表示を行わせる。
【００３７】
工程No. ２（前回のカードデータ＋開始データ）；
図５（ｅ）〜（ｈ）の工程においてカード３が詰まった場合には、給油情報エリア３０Ａには前回の給油データが記録されている一方で、フラグエリア３０Ｂには開始データが記録されている。
ここで、前述のように、給油の開始から完了まで、カード３は停止位置Ｐ１で停止されているので、カード詰まりが生じるのは、給油後のカード３の搬送（図６（ｉ））以降である。したがって、かかる場合には、ＣＰＵ１１ａは、給油が完了した後にカード詰まりが生じ、給油内容とカードの記録内容との不一致が生じていると判別し、記憶部１１ｂから新たな給油データ（実際に給油された給油データ）を読み出し、給油情報エリア３０Ａに当該新たな給油データを更新記録させると共に、フラグエリア３０Ｂには、終了データ「１」を記録させる。
一方、前記印字ボタンがタッチされたか否かに拘わらず、当該給油データに基づき、印字領域に今回の給油に対応する印字を行わせた後、カード３を顧客に返却する。
前記表示手段１７には、「新たな給油データが記録されました。」等の表示がなされる。
【００３８】
なお、記憶部１１ｂに記憶されている新たな給油データは、次回の通常モードのステップＳ８（図７）まで記憶され、給油ノズル１８ａのノズルスイッチが入れられると消去され、次回の給油データに更新記憶される。
【００３９】
工程No. ３（新カードデータ＋終了データ＋印字ボタンＯＮ）；
図６（ｉ）〜（ｌ）の工程においてカード３が詰まった場合には、給油情報エリア３０Ａに新たな給油データが記録されていると共に、フラグエリア３０Ｂに終了データが記録されている。
ここで、前述のように、フラグエリア３０Ｂへの書き込みは、給油情報エリア３０Ａへの書き込みの後になされる。そのため、フラグエリア３０Ｂに終了データが記録されていれば、該フラグエリア３０Ｂよりも先に書き込まれた給油情報エリア３０Ａには新たな給油データが記録されていると判断される。
一方、かかる場合において、前記印字ボタンがタッチされている場合には、ＣＰＵ１１ａは、今回の給油に対応する印字がなされていないと判別し、印字領域に今回の給油に対応する印字を行った後、カード３を返却する。
表示手段１７には、「新たな給油情報を印字しました。」等の表示がなされる。
【００４０】
工程No. ４（新カードデータ＋終了データ＋印字ボタンＯＦＦ）；
図５（ｍ）〜（ｏ）の工程においてカード３が詰まった場合には、給油情報エリア３０Ａに今回給油した給油データが記録されていると共に、フラグエリア３０Ｂに終了データが記録されている。かかる場合において、印字ボタンがタッチされていない場合には、ＣＰＵ１１ａは、給油が完了し、当該給油に対応する新たな給油データが書き込まれていると共に、今回の給油に対応する印字がなされていると判別し、カード３にデータの書き換えおよび印字を行わずに、該カード３を顧客に返却する。
表示手段１７には、後処理が正常に終了した旨の表示がなされる。
【００４１】
前記後処理後、サービスマンがカード３をカード挿入口１４ａから取り出すと、ステップＳ２５に進み、表示手段１７に新たな残高が表示された後、異常モードが終了し正常モードがスタートする。
【００４２】
なお、前述の実施形態では、開始データおよび終了データのうち、いずれか一方のみのデータが記録されているか否かに基づいて前記判別を行ったが、図１０に示すように、磁気記録面３０に開始データと終了データが記録されるデータエリア３０Ｃ，３０Ｄを設け、両データの値に基づいて後処理を行うようにしてもよい。たとえば、給油を行う毎に開始データおよび終了データの値をインクリメントし、両データの値が同じ値である場合（図１０（ｃ））には、正常に新たな給油データが書き込まれていると判別するようにしてもよい。なお、前記データとしては、印字領域への印字回数を用いてもよい。
【００４３】
また、カード３を当該カード３が詰まった給油装置１０ｉとは別の給油装置に挿入した場合には、当該カードNo. に対応する給油データを管理装置２０から当該給油装置に受信した後、前記後処理を行うようにしてもよい。
【００４４】
また、図１（ｂ）に示すように、表示器１２、貨幣識別手段１３、リードライタ１４および伝票発行手段１５のうちの１以上の要素は、給油装置１０Ａｉごとに設ければよく、構造物としては給油装置１０Ａｉと別体に設けてもよい。
さらに、カード３としては、印字面の書き換えが可能なリライトカードなどを用いてもよい。
【００４５】
また、図３の機構を両面に設けた装置においては、前記釣銭発行機１６を１台のみ設け、かかる１台の釣銭発行機１６から両側に設けた釣銭発行口１６ａにそれぞれ釣銭を発行するようにしてもよい。
さらに、各給油装置１０ｉごとに釣銭発行機１６を設ける代わりに、給油装置１０ｉから釣銭引換券を発行し、給油装置１０ｉとは別に設置された釣銭引換装置から、当該釣銭引換券に記録された金額の釣銭を支払うようにしてもよい。
また、カード３を収納したカードストッカを設け、釣銭を払い戻す必要がある場合には、釣銭引換券を発行する代わりに、当該釣銭の金額に応じた残高を記憶させると共に、印字領域に当該金額を印字したカード３を発行するようにしてもよい。
【００４６】
【発明の効果】
以上説明したように、本発明によれば、給油の前後に開始データと終了データとを記録し、判別するようにしたので、給油中などにカードが詰まっても、前記２つのデータに基づいて、給油がなされたか否か、残高の更新を行ったか否かなどを正確に把握し、給油された状況と残高などとの間に食い違いが生じないように、カードの記録内容を書き換えることが可能となる。
【００４７】
また、通常モードにおいて、終了データが記録されていない場合にカードをリードライタの挿入口から返却することで、前記食い違いの生じている事実をサービスマンが直ちに知ることができると共に、食い違いの生じたままのカードを使用できないようにして、事態が複雑になるのを防止し得る。
【００４８】
また、異常モードにおいて、カードの記録内容に応じた状態の表示や、異常処理の操作手順の表示を行うようにすれば、異常時の操作が分かり易くなる。
【００４９】
さらに、実行した給油内容を記憶する記憶部を給油装置などに設ければ、この記憶部の記憶内容を読み出して、この読み出した内容に従ってリードライタに所定の記録を行わせることで、カードに食い違いがある場合に容易かつ確実に食い違いを修正することができる。
【図面の簡単な説明】
【図１】（ａ）は本発明にかかるセルフサービス方式の給油所システムを示す概略構成図、（ｂ）は同変形例を示す概略構成図である。
【図２】給油装置を示す概略構成図である。
【図３】給油装置を示す概略正面図である。
【図４】（ａ），（ｂ）はプリペイドカードの記憶内容を示す模式図、（ｂ）は同カードの印字内容を示す正面図である。
【図５】カードの読み取りおよび書き換え工程を示す工程図である。
【図６】カードの書き換えおよび印字工程を示す工程図である。
【図７】通常モードを示すフローチャートである。
【図８】異常モードを示すフローチャートである。
【図９】後処理の種別を示す図表である。
【図１０】変形例の開始データおよび終了データの記録方法を示すプリペイドカードの模式図である
【符号の説明】
３：プリペイドカード（板状記憶媒体）
１０ｉ：給油装置
１１：マイコン（制御手段）
１１ａ：ＣＰＵ（判別手段）
１１ｂ：記憶部
１３：貨幣識別手段
１４：リードライタ
１４ａ：カード挿入口
１８ａ：給油ノズル
１９：設定スイッチ（給油予定情報入力手段）
【図１】
2004203418.tif 000003
【図２】
2004203418.tif 000004
【図３】
2004203418.tif 000005
【図４】
2004203418.tif 000006
【図５】
2004203418.tif 000007
【図６】
2004203418.tif 000008
【図７】
2004203418.tif 000009
【図８】
2004203418.tif 000010
【図９】
2004203418.tif 000011
【図１０】
2004203418.tif 000012
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
複数の給油用の給油ノズルを有する給油装置を複数台備えた給油所システムであって、
給油量または給油金額を含む給油予定情報を入力するための給油予定情報入力手段と、
板状記憶媒体の残高の読み取りおよび書き換えを行うリードライタと、
前記板状記憶媒体が前記リードライタの挿入口から挿入されると、給油前において、かつ、前記板状記憶媒体に残高の記録をする前に、前記板状記憶媒体に使用の開始データを記録させ、前記板状記憶媒体が前記リードライタの挿入口から返却される前において、前記給油後、かつ、前記残高を記録した後に、前記板状記憶媒体に使用の終了データを記録させる制御手段と、
読み取られた開始データおよび／または終了データに基づいて、前回の使用時に、開始データおよび／または終了データが記録されたか否かを判別する判別手段と、
前記給油装置に設けられ給油内容を記憶する記憶部とを備え、
前記制御手段は、前記板状記憶媒体を使用して給油を行う通常モードと、リードライタ内で詰まった前記板状記憶媒体についての処理を行う異常モードとを備え、
前記異常モードにおいて、前記板状記憶媒体が挿入されると、当該板状記憶媒体から読み出されたカードＮｏ．と、前記記憶部に記憶されている前回の給油を行った給油データのカードＮｏ．との照合を行ない、
板状記憶媒体の給油情報エリアに前回の給油データが記録されている一方で、フラグエリアに開始データが記録されている場合は、前記記憶部から実際に給油された給油データを読み出し、前記給油情報エリアに当該実際に給油された給油データを更新記憶させると共に、前記フラグエリアに終了データを記録させるようにした給油所システム。
【請求項２】
請求項１において、
前記制御手段は、前記異常モードにおいて、前記給油情報エリアに新たな給油データが記録されていると共にフラグエリアに終了データが記録されている場合は、前記板状記憶媒体にデータの書き換えを行わずに前記挿入口から板状記憶媒体を返却するようにした給油所システム。
【請求項３】
請求項２において、
前記リードライタは、前記板状記憶媒体に記憶させる磁気ヘッドと、前記板状記憶媒体に印字を行なう印字ヘッドとを備え、
前記制御手段は、前記異常モードにおいて、前記給油情報エリアに新たな給油情報が記録されていると共に、フラグエリアに終了データが記録されている場合は、前記板状記憶媒体の印字領域に前記新たな給油情報に対応する印字を行なった後にカードを返却するようにした給油所システム。